(57)【要約】【課題】コストを抑え、しかも、生活者にとっては利用しやすく、使いやすい複写機能付き情報保護シートを提供する。【解決手段】複写機能付き情報保護シート１０は、第１及び第２の領域１１Ａ，１１Ｂを有する基材１１と、基材１１とノーカーボンボトム紙１３とを完全接着する接着剤１２と、顕色剤１３ａ及びノーカーボン下用紙１３ｂを有するノーカーボンボトム紙１３と、基材１１とノーカーボントップ紙１７とを再剥離可能に粘着し、剥離層１５及び再剥離再貼付粘着剤１６を有する再剥離構造１４と、発色カプセル１７ａ及びノーカーボン上用紙１７ｂを有するノーカーボントップ紙１７と、ノーカーボントップ紙１７の中央部分及びその下層の再剥離再貼付粘着剤１６を、隠蔽ラベル片１８として剥離するためのハーフカットｈｃと、個人情報を複写するための複写欄２０を有する申込ハガキ１９と、個人情報を記入するための記入欄２１を有する控えなどとを備える。【選択図】図１
2006181795.tif 000002
【特許請求の範囲】
【請求項１】
第１及び第２の領域を有する基材と、
前記第１の領域上に設けられた顕色剤層と、
前記第２の領域上に設けられ、再剥離再貼付可能な再剥離再貼付粘着剤層と、
前記再剥離再貼付粘着剤層上に設けられ、前記顕色剤層と反応して発色する発色剤層とを備え、
前記基材を折り畳み、前記顕色剤層と前記発色剤層とを密着させ、前記顕色剤層と前記発色剤層とによって秘匿情報を複写し、前記再剥離再貼付粘着剤層を含む部分で、その複写した秘匿情報を隠蔽すること、
を特徴とする複写機能付き情報保護シート。
【請求項２】
請求項１に記載の複写機能付き情報保護シートにおいて、
前記秘匿情報を記入するための記入欄と、
前記秘匿情報を複写するための複写欄とを備え、
前記記入欄は、前記基材を折り畳んだときに、前記複写欄と厚み方向で重なること、
を特徴とする複写機能付き情報保護シート。
【請求項３】
請求項２に記載の複写機能付き情報保護シートにおいて、
前記記入欄と前記複写欄とは、同一面側に設けられていること、
を特徴とする複写機能付き情報保護シート。
【発明の詳細な説明】
【技術分野】
【０００１】
本発明は、各種アンケート用紙や申込書などに好適な複写機能付き情報保護シートに関するものである。
【背景技術】
【０００２】
従来、顕色剤と発色剤とを利用した複写構造を備えるシートは、配送伝票などに広く用いられている（例えば、特許文献１）。
【０００３】
しかし、複写した情報は、重要な情報でなければ問題ないものの、各種アンケート用紙や申込書では、個人情報が存在することも多いので、その個人情報を隠蔽する必要がある。
【０００４】
そこで、特殊な隠蔽ラベルを貼り込むことによって、個人情報を隠蔽する方法もあるが、特殊な隠蔽ラベルゆえにコストが増加してしまい、また、生活者にとっては、隠蔽の仕方がわかりにくいという可能性もあった。
【特許文献１】特開平１０−０７６７６９号公報
【発明の開示】
【発明が解決しようとする課題】
【０００５】
本発明の課題は、コストを抑え、しかも、生活者にとっては利用しやすく、使いやすい複写機能付き情報保護シートを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、第１及び第２の領域（１１Ａ，１１Ｂ）を有する基材（１１）と、前記第１の領域（１１Ａ）上に設けられた顕色剤層（１３ａ）と、前記第２の領域（１１Ｂ）上に設けられ、再剥離再貼付可能な再剥離再貼付粘着剤層（１６）と、前記再剥離再貼付粘着剤層（１６）上に設けられ、前記顕色剤層（１３ａ）と反応して発色する発色剤層（１７ａ）とを備え、前記基材（１１）を折り畳み、前記顕色剤層（１３ａ）と前記発色剤層（１７ａ）とを密着させ、前記顕色剤層（１３ａ）と前記発色剤層（１７ａ）とによって秘匿情報を複写し、前記再剥離再貼付粘着剤層（１６）を含む部分で、その複写した秘匿情報を隠蔽すること、を特徴とする複写機能付き情報保護シートである。
請求項２の発明は、請求項１に記載の複写機能付き情報保護シートにおいて、前記秘匿情報を記入するための記入欄（２１）と、前記秘匿情報を複写するための複写欄（２０）とを備え、前記記入欄（２１）は、前記基材（１１）を折り畳んだときに、前記複写欄（２０）と厚み方向で重なること、を特徴とする複写機能付き情報保護シートである。
請求項３の発明は、請求項２に記載の複写機能付き情報保護シートにおいて、前記記入欄（２１）と前記複写欄（２０）とは、同一面側に設けられていること、を特徴とする複写機能付き情報保護シートである。
【発明の効果】
【０００７】
本発明によれば、顕色剤層と発色剤層とで複写機能を確保し、しかも、その発色剤層を保持している再剥離再貼付粘着剤層を含む部分で情報保護機能を確保するので、資源に無駄がなく、製造コストを抑えることができる。
また、基材を折り畳んで秘匿情報が簡単に複写でき、再剥離再貼付粘着剤層を含む部分で秘匿情報が容易に隠蔽できるので、直感的にわかりやすく、使いやすい。
【発明を実施するための最良の形態】
【０００８】
本発明は、コストを抑え、しかも、生活者にとっては利用しやすく、使いやすい複写機能付き情報保護シートを提供するという目的を、基材上に、接着剤で貼り合わせたノーカーボンボトム紙と、再剥離再貼付粘着剤で貼り合わせたノーカーボントップ紙とを並設することにより実現する。
【実施例１】
【０００９】
以下、図面等を参照して、本発明の実施例について、さらに詳しく説明する。
図１は、本発明による複写機能付き情報保護シートの実施例１を示す図である。
実施例１の複写機能付き情報保護シート１０は、所定のサービスを申し込むための申込書であって、基材１１と、接着剤１２と、ノーカーボンボトム紙１３と、再剥離構造１４と、ノーカーボントップ紙１７と、ハーフカットｈｃと、申込ハガキ１９などとを備える。
【００１０】
基材１１は、第１及び第２の領域１１Ａ，１１Ｂを有し、連量が９０ｋｇ／四六の上質紙である。
また、基材１１には、この基材１１を中央で２つ折りするためのミシン目ｍｃ１と、申込ハガキ１９を切り取るためのミシン目ｍｃ２とが切り込まれている。
【００１１】
接着剤１２は、基材１１とノーカーボンボトム紙１３とを完全接着するものである。
ノーカーボンボトム紙１３は、第１の領域１１Ａ上に設けられ、顕色剤１３ａ及びノーカーボン下用紙１３ｂを有し、連量が４０ｋｇ／四六のものである。
また、ノーカーボンボトム紙１３には、ミシン目ｍｃ２と重なる位置に、スリット線ｓが切り込まれている。
【００１２】
再剥離構造１４は、第２の領域１１Ｂ上に設けられ、基材１１とノーカーボントップ紙１７とを再剥離可能に粘着するものであり、剥離成分を有する剥離層１５と、その上に設けられ、再剥離再貼付可能な再剥離再貼付粘着剤１６とを備える。
【００１３】
ノーカーボントップ紙１７は、再剥離再貼付粘着剤１６上に設けられ、顕色剤１３ａと反応して発色する発色カプセル（発色剤層）１７ａ及びノーカーボン上用紙１７ｂを有し、連量が４０ｋｇ／四六のものである。
【００１４】
ハーフカットｈｃは、ノーカーボントップ紙１７の中央部分、及び、その下層の再剥離再貼付粘着剤１６を、隠蔽ラベル片（再剥離再貼付粘着剤を含む部分）１８として剥離するためのカット線であり、ノーカーボントップ紙１７の表面から基材１１を貫通しないように切り込まれている。
【００１５】
申込ハガキ１９は、ノーカーボンボトム紙１３のスリット線ｓよりも下の部分と、基材１１の第１の領域１１Ａのミシン目ｍｃ２よりも下の部分とから構成され、ノーカーボンボトム紙１３の部分には、氏名，住所，電話番号などの個人情報（秘匿情報）を複写するための複写欄２０が設けられている。
また、第２の領域１１Ｂの裏面には、複写欄２０と同様の項目があり、個人情報を記入するための記入欄２１を有する控えが設けられている。
したがって、基材１１を２つ折りしたときには、記入欄２１は、複写欄２０と厚み方向で重なるようになっている。
【００１６】
次に、実施例１の複写機能付き情報保護シート１０の使用方法を説明する。
まず、図１（Ｂ）に示すように、基材１１を中央のミシン目ｍｃ１で２つ折りし、ノーカーボンボトム紙１３の顕色剤１３ａと、ノーカーボントップ紙１７の発色カプセル１７ａとを密着させる。
ついで、記入欄２１に必要事項を記入し、顕色剤１３ａと発色カプセル１７ａとを反応させて、複写欄２０に個人情報を複写する。
さらに、図１（Ｃ）に示すように、一旦、見開き状態に戻し、ハーフカットｈｃによって、隠蔽ラベル片１８を剥離する。
そして、複写欄２０に隠蔽ラベル片１８を貼り込み、複写した個人情報を隠蔽する。
最後に、図１（Ｄ）に示すように、ミシン目ｍｃ１，ｍｃ２に沿って申込ハガキ１９を切り取り、ポストに投函する。
【００１７】
このように、実施例１によれば、以下のような効果がある。
（１）ノーカーボンボトム紙１３とノーカーボントップ紙１７とによって複写機能を確保し、しかも、そのノーカーボントップ紙１７と再剥離再貼付粘着剤１６とによって情報保護機能を確保するので、資源に無駄がなく、製造コストを抑えることができ、環境にも配慮した形態である。
（２）ノーカーボンボトム紙１３とノーカーボントップ紙１７とが並設され、厚み差が生じていないので、レーザ方式、ドットインパクト方式、電子写真方式、インクジェット方式、サーマル転写方式などのプリンタで、表面や裏面に簡単に印字することができる。
【００１８】
（３）ノーカーボンボトム紙１３とノーカーボントップ紙１７とに、同時に印字することができるので、マッチングミスがない。
（４）２つ折りして個人情報を複写でき、隠蔽ラベル片１８を貼り替えて申込ハガキ１９を隠蔽できるわかりやすい形態である。
（５）基材１１を２つ折りしたときには、記入欄２１は、自然と複写欄２０の上側にくるので、面倒な位置合わせなどは不要であり、生活者にとっては使いやすく、利用しやすい。
【実施例２】
【００１９】
図２は、本発明による複写機能付き情報保護シートの実施例２を示す図である。
なお、前述した実施例１と同様な機能を果たす部分には、同一の符号又は末尾に統一した符号を付して、重複する説明や図面を適宜省略する。
実施例２の複写機能付き情報保護シート１０Ａは、３つ折り（Ｚ折り）タイプのものであり、実施例１のものと比べて、基材１１の第２の領域１１Ｂ、及び、ノーカーボントップ紙１７の幅方向の長さが２倍になっている。
また、記入欄２１は、ノーカーボントップ紙１７の右側の部分に設けられており、記入欄２１と複写欄２０とは、同一面側に配置されている。
【００２０】
ここで、さらなるコストダウンを図るため、図２（Ｂ）に示すように、ノーカーボントップ紙１７の幅方向の長さは、変更しないようにしてもよいが、この場合には、第２の領域１１Ｂの右側の部分の表面に記入欄２１を設ける。
【００２１】
再剥離構造１４は、実施例１のものとは逆の層構成（剥離層１５が上で再剥離再貼付粘着剤１６が下）であり、ノーカーボントップ紙１７を剥離したときには、再剥離再貼付粘着剤１６が基材１１側に残るようになっている。
【００２２】
そして、この複写機能付き情報保護シート１０Ａを使用する場合には、まず、図２（Ｃ）に示すように、基材１１を３つ折りして、記入欄２１に必要事項を記入する。
ついで、図２（Ｄ）に示すように、見開き状態に戻し、申込ハガキ１９を倍の大きさで切り取り、ノーカーボントップ紙１７を剥離して、再剥離再貼付粘着剤１６を表出させる。
最後に、図２（Ｅ）に示すように、２つ折りして、複写欄２０を隠蔽し、この状態でポストに投函する。
【００２３】
このように、実施例２によれば、３つ折り形態とすることで、記入欄２１と複写欄２０とを同一面側に設けることが可能となり、印字が片面で済み、印字効率がよく、印字コストの低下、納期短縮といった利点がある。
また、ノーカーボントップ紙１７ではなく、基材１１のような厚紙で複写欄２０を隠蔽するため、実施例１のものよりも、高い隠蔽性を確保することができる。
さらに、基材１１をＡ４サイズにすれば、Ａ４サイズのものを３つ折りして仕上げる形態とすることができ、ＯＡプリンタでの運用も可能である。
【００２４】
（変形例）
以上説明した実施例に限定されることなく、種々の変形や変更が可能であって、それらも本発明の均等の範囲内である。
複写機能付き情報保護シートは、申込書の例で説明したが、各種アンケート用紙などに用いてもよい。
【図面の簡単な説明】
【００２５】
【図１】本発明による複写機能付き情報保護シートの実施例１を示す図である。
【図２】本発明による複写機能付き情報保護シートの実施例２を示す図である。
【符号の説明】
【００２６】
１０、１０Ａ  複写機能付き情報保護シート
１１  基材
１１Ａ  第１の領域
１１Ｂ  第２の領域
１２  接着剤
１３  ノーカーボンボトム紙
１３ａ  顕色剤
１３ｂ  ノーカーボン下用紙
１４  再剥離構造
１５  剥離層
１６  再剥離再貼付粘着剤
１７  ノーカーボントップ紙
１７ａ  発色カプセル（発色剤層）
１７ｂ  ノーカーボン上用紙
１８  隠蔽ラベル片
１９  申込ハガキ
２０  複写欄
２１  記入欄
ｍｃ１、ｍｃ２  ミシン目
ｈｃ  ハーフカット
【図１】
2006181795.tif 000003
【図２】
2006181795.tif 000004